(57)【要約】  携帯電話機のレシーバ４の開口部が設けられた位置の背面位置にスイッチ６が設けられ、ユーザがスイッチ６を押すと、通話音声とは別の開口部位置確認用トーンがレシーバ４の開口部から出力される。  レシーバ４の開口部からトーンを出力させることで、ユーザは、トーンが最良に聞こえる位置に携帯電話機を動かすことで、レシーバ４の開口部を容易に耳孔に合わせることができる。
2007096933.tif 000002
【特許請求の範囲】
【請求項１】
筐体の表面に設けられた開口部から通話音声を出力するレシーバと、
所定スイッチの操作により、開口部位置確認用トーンを生成する音生成部とを備え、
前記音生成部により生成された前記開口部位置確認用トーンは、前記スピーカの開口部から出力されることを特徴とする携帯電話機。
【請求項２】
請求項１において、
前記所定スイッチは、前記開口部が設けられる位置の背面位置に設けられることを特徴とする携帯電話機。
【発明の詳細な説明】
【技術分野】
【０００１】
本発明は、通話用スピーカ（レシーバ）の開口部をユーザの耳孔に容易に導くことができる携帯電話機に関する。
【背景技術】
【０００２】
図１は、従来の携帯電話機の外観を示す図である。図１には、折りたたみ式携帯電話機の筐体１及びストレートタイプ携帯電話機の筐体２が示されており、どちらも、ディスプレイ３、通話用スピーカ（「レシーバ」と称す場合がある）４、マイク（図示せず）、数字キーなどの複数のキーボタン（参照番号なし）を備える。【０００３】
近年、携帯電話機は、小型軽量化が進む一方、液晶ディスプレイなどの画面は大型化してきている。キーボタンの大きさは、操作性を維持するために、一定以上の大きさを確保する必要があり、その結果、限られた面積に各構成要素を配置する場合、必然的に、レシーバ４及びマイク５の開口部は小さくならざるを得ない。【０００４】
下記特許文献１は、携帯電話機筐体の表面とほぼ同じ高さとなる状態でスピーカを収容し、通電によりスピーカを外側に揺動させることにより、スピーカを容易に正しい位置関係で耳に当てることができる携帯電話機について開示している。【０００５】
また、下記特許文献２は、スピーカの周囲に耳当てパッドを設け、その耳当てパッドを筐体から突出させ、スピーカの位置を認識しやすくした携帯電話機について開示している。
【特許文献１】特開平２００１−９４６４４号公報
【特許文献２】特開平２００４−１２００９１号公報
【発明の開示】
【発明が解決しようとする課題】
【０００６】
レシーバ４の開口部が小さくなると、スピーカ４の位置を耳孔に合わせにくくなる。レシーバ４の位置が耳孔からずれると、レシーバ４の開口部は耳孔周辺部位でふさがれてしまい、音量が減少し、音声が聞き取りづらくなる。【０００７】
しかしながら、レシーバ４の開口部は非常に小さく、また、レシーバ４の開口部を耳孔に合わせる操作は、視覚からはずれた位置での操作となるため、実際に、レシーバ４の開口部の位置が耳孔に合っているかどうかを確認することは難しい。また、レシーバ４の開口部は、必ずしも、筐体の中央付近に設けられるとは限られず、機種により、図１の筐体１に示すように、左右いずれかにずれて配置される場合もある。【０００８】
そこで、本発明の目的は、レシーバの開口部の位置を耳孔に容易に導くことができる携帯電話機を提供することにある。
【課題を解決するための手段】
【０００９】
上記目的を達成するための本発明の携帯電話機の第一の構成は、筐体の表面に設けられた開口部から通話音声を出力するレシーバと、所定スイッチの操作により、開口部位置確認用トーンを生成する音生成部とを備え、前記音生成部により生成された前記開口部位置確認用トーンは、前記スピーカの開口部から出力されることを特徴とする。【００１０】
本発明の携帯電話機の第二の構成は、上記第一の構成において、前記所定スイッチは、前記開口部が設けられる位置の背面位置に設けられることを特徴とする。
【発明の効果】
【００１１】
本発明によれば、携帯電話機の通話用スピーカの開口部を耳孔に確実且つ容易に導くことができ、通話音量の減少を防ぐことができる。
【図面の簡単な説明】
【００１２】
【図１】従来の携帯電話機の外観を示す図である。
【図２】本発明の実施の形態例における携帯電話機の外観を示す図である。
【図３】スイッチ６の設けられた部分の拡大図である。
【図４】トーンを発生させる構成を示す図である。
【符号の説明】
【００１３】
１：携帯電話機筐体、２：携帯電話機筐体、３：ディスプレイ、４：通話用スピーカ（レシーバ）、６：トーン発生用スイッチ、１０：マルチメディアＣＰＵ（音発生部）、１１：ＰＣＭコーデック、１２：Ｄ／Ａ、１３：音量調節部、１４：音量調節部、１５：スピーカ
【発明を実施するための最良の形態】
【００１４】
以下、図面を参照して本発明の実施の形態について説明する。しかしながら、かかる実施の形態例が、本発明の技術的範囲を限定するものではない。【００１５】
図２は、本発明の実施の形態例における携帯電話機の外観を示す図である。折りたたみ式携帯電話機の筐体１には、ディスプレイ３、通話用スピーカ（レシーバ）４、マイク（図示せず）、複数のキーボタン（参照番号なし）が配置されている。ディスプレイ３やキーボタンが設けられている面に、レシーバ４は開口部を有し、通話音声は、レシーバ４の開口部から出力される。【００１６】
そして、本発明の実施の形態例では、レシーバ４の開口部が設けられた位置の背面位置にスイッチ６が設けられ、ユーザがスイッチ６を押すと、通話音声とは別の音（開口部位置確認用トーン、以下、単にトーンを称す場合がある）がレシーバ４の開口部から出力される。トーンの種類は任意でよく、例えば「プー」、「ピー」などの音調であってよいし、何らかのメロディ音であってもよい。トーンは、スイッチ６を押している間、出力され続ける。【００１７】
レシーバ４の開口部からトーンを出力させることで、ユーザは、トーンが最良に聞こえる位置に携帯電話機を動かすことで、レシーバ４の開口部を容易に耳孔に合わせることができる。【００１８】
図３は、スイッチ６の設けられた部分の拡大図である。スイッチ６をレシーバ４の開口部の（正面）位置の背面位置に設けることで、指先でスイッチ６を押すとき、その指先でスピーカ４の開口部の位置を認知することができるので、トーンの音量を確認しつつ、指先を耳孔に当てる感覚で携帯電話機を動かすことで、より容易にレシーバ４の開口部を耳孔に導きやすくすることができる。【００１９】
なお、スイッチ６は、レシーバ４の開口部の位置の背面位置に限らず、ユーザが押しやすい筐体上の任意の位置に設けられてもよい。また、スイッチは、トーン発生専用スイッチとして独立して設けられてよいし、数字キーなど既存のキーボタンの一つと共用させるようにしてもよい。【００２０】
図４は、トーンを発生させる構成を示す図である。スイッチ６が押されると、携帯電話機内のマルチメディアＣＰＵ１０が、本発明に特徴的な開口部位置確認用トーンを生成する。マルチメディアＣＰＵ１０は、当該トーンを生成するのみならず、呼び出し音や各種操作音や、内部メモリに記憶されている音楽データを所定の規格に従って再生した再生音などの音源データも生成する。【００２１】
マルチメディアＣＰＵ１０で生成されるトーン以外の音源データは、Ｄ／Ａ１２でアナログ信号変換され、レシーバ４ではなく、別のスピーカ１３（図２には図示せず）から出力される。【００２２】
一方、マルチメディアＣＰＵ１０で生成されたトーンは、レシーバ４から出力する必要があるので、通話音声をＰＣＭ(Pulse Code Modulation)により符号化／復号化するＰＣＭコーデック部１１に入力され、アナログ信号に変換されて、スピーカ４から出力される。なお、音量調節部１３、１４は、それぞれレシーバ４及びスピーカ１５から出力される音量を調節する。【００２３】
また、音声符号化方式として、ＰＣＭ以外に、音声の符号化方式として、ＰＣＭ以外に、例えば、ＡＤＰＣＭ(Adaptive Differential Pulse Modulation)、ＭＩＤＩ(Musical Instruments
Digital Interface)、ＡＡＣ(Advanced Audio Coding)、ＭＰ３(MPEG Audio Layer-3)などが用いられてもよい。
【産業上の利用可能性】
【００２４】
本発明によれば、携帯電話機の通話用スピーカの開口部を耳孔に確実且つ容易に導くようにすることができる。
【図１】
2007096933.tif 000003
【図２】
2007096933.tif 000004
【図３】
2007096933.tif 000005
【図４】
2007096933.tif 000006
【国際調査報告】
2007096933.tif 000007
2007096933.tif 000008